(57)【要約】【課題】店舗などの照明システムにおいて、繁忙期にも重点照明による購買客の引き付け効果を維持するとともにさらに省エネルギー化を可能とする。【解決手段】照明システム１０は、重点照明器具１１と全般照明器具１２と、人数計測部１３と、点灯制御装置１４とを備える。点灯制御装置１４は、計測された人数情報に基づき、点灯モードを選択し、選択した点灯モードに応じて重点照明器具１１と全般照明器具１２を点灯制御する。繁忙期点灯モードで、全般照明器具１２の出力は、閑散期点灯モードよりも低下し、それに併せて、重点照明による購買客の引き付け効果が維持されるように重点照明器具１１の出力も低下する。これにより、繁忙期にも購買客の引き付け効果を維持しつつさらに省エネルギー化される。【選択図】図１
2009187808.tif 000002
【特許請求の範囲】
【請求項１】
被照射物を照明する重点照明器具と、
前記重点照明器具よりも広い範囲を照明する全般照明器具と、を備える照明システムにおいて、
照明システムが照射する空間内の人数を計測する人数計測部と、
前記人数計測部から受信した人数情報に基づいて少なくとも繁忙期点灯モード及び閑散期点灯モードを含む複数の点灯モードから１つの点灯モードを選択し、選択した前記点灯モードに応じて前記重点照明器具及び前記全般照明器具を点灯制御する点灯制御装置と、をさらに備え、
前記点灯制御装置は、前記全般照明器具及び前記重点照明器具を前記閑散期点灯モードよりも前記繁忙期点灯モードでの出力が小さくなるように点灯制御することを特徴とする照明システム。
【請求項２】
前記点灯制御装置は、重点照明による購買客の引き付け効果の評価値をＺ、前記全般照明器具の出力をＥｈ、前記重点照明器具の出力をＥｖとしたとき、
式Ｚ＝−５．６９・ｌｏｇ（Ｅｈ）＋３．８７８・ｌｏｇ（Ｅｖ）＋７．６によって評価値を算出し、
算出した前記繁忙期点灯モードでの評価値が前記閑散期点灯モードでの評価値以上に維持されるように、前記全般照明器具及び前記重点照明器具を点灯制御することを特徴とする請求項１に記載の照明システム。
【発明の詳細な説明】
【技術分野】
【０００１】
本発明は、店舗内等を照明する照明システムに関する。
【背景技術】
【０００２】
従来、店舗内に展示された商品を重点照明するとともに店舗内で重点照明よりも広い範囲を全般照明する照明システムにおいて、店内の客数が多い時間帯である繁忙期に全般照明を明るくし、客数が少ない時間帯である閑散期に全般照明の照度を下げるのが一般的である。しかし、このような照明システムにおいては、繁忙期は、重点照明による照度と全般照明による照度の比が近いため重点照明による購買客の引き付け効果が低下するとともに、全般照明が明るいので省エネルギーでない。
【０００３】
また、店内の客数を人感センサで検知して、客数に応じて全般照明器具を調光（照度低下）することによって、重点照明による購買客の引き付け効果を発揮させる照明システムが提案されている（例えば、特許文献１参照）。しかしながら、このような照明システムにおいては、全般照明のみ調光して重点照明を調光しないので、重点照明が省エネルギー化されない。
【特許文献１】特開２００７−５２６１号公報
【発明の開示】
【発明が解決しようとする課題】
【０００４】
本発明は、このような問題を解決するためになされたもので、繁忙期にも重点照明による購買客の引き付け効果を維持するとともに、さらに省エネルギー化を図る照明システムを提供することを目的とする。
【課題を解決するための手段】
【０００５】
上記目的を達成するために請求項１に記載の発明は、被照射物を照明する重点照明器具と、前記重点照明器具よりも広い範囲を照明する全般照明器具と、を備える照明システムにおいて、照明システムが照射する空間内の人数を計測する人数計測部と、前記人数計測部から受信した人数情報に基づいて少なくとも繁忙期点灯モード及び閑散期点灯モードを含む複数の点灯モードから１つの点灯モードを選択し、選択した前記点灯モードに応じて前記重点照明器具及び前記全般照明器具を点灯制御する点灯制御装置と、をさらに備え、前記点灯制御装置は、前記全般照明器具及び前記重点照明器具を前記閑散期点灯モードよりも前記繁忙期点灯モードでの出力が小さくなるように点灯制御するものである。
【０００６】
請求項２に記載の発明は、請求項１に記載の照明システムにおいて、前記点灯制御装置は、重点照明による購買客の引き付け効果の評価値をＺ、前記全般照明器具の出力をＥｈ、前記重点照明器具の出力をＥｖとしたとき、式Ｚ＝−５．６９・ｌｏｇ（Ｅｈ）＋３．８７８・ｌｏｇ（Ｅｖ）＋７．６によって評価値を算出し、算出した前記繁忙期点灯モードでの評価値が前記閑散期点灯モードでの評価値以上に維持されるように、前記全般照明器具及び前記重点照明器具を点灯制御するものである。
【発明の効果】
【０００７】
請求項１に記載の発明によれば、繁忙期に全般照明器具の出力の低下に併せて重点照明器具の出力も低下するので、さらに省エネルギー化を図ることができる。
【０００８】
請求項２に記載の発明によれば、購買客の引き付け効果を評価する評価式を用いて点灯制御をするので、全般照明器具の出力の低下に併せて重点照明器具の出力を低下しても重点照明器具による引き付け効果を維持することができる。
【発明を実施するための最良の形態】
【０００９】
以下、本発明の一実施形態に係る照明システムについて図面を参照して説明する。図１において、照明システム１０は、光源からの光を集光して被照射物を照明する重点照明器具１１と、重点照明器具１１よりも広い範囲を照明する全般照明器具１２と、照射する空間内の人数を計測する人数計測部１３と、重点照明器具１１と全般照明器具１２とを点灯制御する点灯制御装置１４と、を備える。重点照明器具１１は、重点照明をする照明器具であって、特に注目させたい什器、売場などの近傍に設置され、購買客の目を引き付ける効果を与えたり、商品の特徴を表現する役割を果たすものであり、また、壁面や柱面等を照明して空間の明るさ感を提供する。全般照明器具１２は、全般照明をする照明器具であって、購買客が店内の通路、什器陳列部、レジ部などを歩き回ったり、商品を選んだりするのに必要な基本的な明るさを提供するものである。人数計測部１３は、例えば、検知範囲内の人体の存在を検知する人感センサ（図示せず）を備え、レジ通過人数を計数する、又は、入口部に設けた人感センサで出入りの人数の差分を計数する、或いは、所定エリアごとの人数を計数して総和することにより店内の客数を計測する。また、人数計測部１３は、ＩＣタグリーダ（図示せず）を備え、買い物かごに装着したＩＣタグを非接触で読み取って客数を計測してもよい。点灯制御装置１４は、ＣＰＵ及び入出力インターフェースなどからなり、重点照明器具１１と全般照明器具１２とをそれぞれ、全光点灯又は全光点灯よりも出力が低い調光点灯或いは消灯に点灯制御する。
【００１０】
上記構成において、点灯制御装置１４は、全般照明器具１２及び重点照明器具１１を閑散期点灯モードよりも繁忙期点灯モードでの出力が小さくなるように点灯制御する。点灯制御装置１４は、全般照明制御部１４２と重点照明制御部１４３とタイマー１４４などからなる制御部１４１と、人数情報受信部１４６と点灯モード選択部１４７と点灯モード管理部１４８などからなる基本制御部１４５とを備える。全般照明制御部１４２は、調光或いは不要な部位を段調光又は消灯して全般照明器具１２の出力（光出力）を制御する。重点照明制御部１４３は、調光或いは不要な部位を消灯して重点照明器具１１の出力を制御する。タイマー１４４は、点灯制御を開始・終了する時刻を管理する。人数情報受信部１４６は、人数計測部１３から店内の客数を受信する。点灯モード選択部１４７は、人数情報受信部１４６で人数計測部１３から受信した客数（人数情報）に応じ、少なくとも閑散期点灯モード及び繁忙期点灯モードを含む複数の点灯モードから１つの点灯モードを選択する。この複数の点灯モードには、例えば、客数が少ない早朝夜間時間帯における早朝夜間点灯モードを含んでもよい。点灯モード管理部１４８は、繁忙期又は閑散期などの時間帯に応じた点灯制御情報及びそのときの電力量などを管理する。なお、上記の構成に加えて、基本制御部１４５は、店舗を管理する本部１５に点灯情報などを有線又は無線で送信するように構成してもよいし、本部１５から点灯モード変更などの指令を受信するように構成してもよい。点灯制御装置１４の上記各部の機能は、例えば、点灯制御装置１４のＣＰＵがプログラムを実行することによって実現される。
【００１１】
なお、照明システム１０は、重点照明器具１１と全般照明器具１２の他に、空間の賑わいや店舗の役割のなどを演出する装飾照明器具（図示せず）を備えてもよい。これらの照明器具は、店舗の天井や、天井付近に配設された配管ダクトに取り付けられる。重点照明器具１１としては、例えば、図２に示すように、光源としてのハロゲンランプ１１２と、ハロゲンランプ１１２の光を配光する反射板１１３と、ハロゲンランプ１１２と反射板１１３とを保持する器具本体１１４と、天井ＣＥに固定され、天井ＣＥに対して器具本体１１４を回動自在に支持するアーム１１５とを備えるハロゲンスポットライト１１１が用いられる。重点照明器具１１として、コンパクト蛍光灯スポットライト１１６又はＨＩＤスポットライト１１７を用いてもよい。また、全般照明器具１２としては、例えば、図３（ａ）（ｂ）に示すように、光源としての直管型の蛍光灯１２２と、蛍光灯１２２の光を配光する反射板１２３と、反射板１２３を保持して天井ＣＥに取り付けられる器体１２４とを備える蛍光灯照明器具１２１や、図４（ａ）（ｂ）に示すように、光源としてのハロゲンランプ１２６と、ハロゲンランプ１２６の光を配光する反射板１２７と、ハロゲンランプ１２６と反射板１２７とを保持して天井ＣＥに埋込配設される器体１２８とを備えるダウンライト１２５を用いることができる。全般照明器具１２として、ＨＩＤ（High Intensity Discharge Lamp：高輝度放電ランプ）１２９を用いてもよい。
【００１２】
ここで、繁忙期と閑散期について図面を参照して説明する。図５は、スーパーマーケット１店舗の客数を時間ごとにレジで計測した結果の一例である。６時から９時までの早朝は、客数が非常に少ない。９時から１３時までは、客数が多い繁忙期であり、１３時から１６時は、客数が繁忙期よりは少ない閑散期であり、１６時から２１時は、客数が多い繁忙期である。２１時から２３時は、客数が非常に少ない。なお、２３時から翌日６時は閉店である。この計測例のように、客数は、購買客の一日のスケジュールの影響により時間変動し、また、例えば、季節や催しなどの影響も受けて変動する。
【００１３】
全般照明の制御について、図面を参照して説明する。図６（ａ）（ｂ）は、店内における時間帯ごとの全般照明器具による全般照明の明るさを示す。従来の照明システムでは、図６（ａ）に示すように、購買客が多い繁忙期に全般照明を明るくし、購買客が少ない閑散期に、全般照明の照度を低下させている。このように、繁忙期に全般照明を明るくすると、重点照明と全般照明の照度の比が近いため、重点照明の効果が低くなる。本発明の照明システム１０は、図６（ｂ）に示すように、繁忙期に全般照明器具１２の出力を閑散期よりも低くすることによって、重点照明と全般照明の照度の比を大きくして購買客の引き付け効果を高め、全般照明による通路などの明るさは低減して省エネルギー化を図る。
【００１４】
重点照明の印象、すなわち、重点照明による購買客の引き付け効果を図面を参照して説明する。図７（ａ）（ｂ）において、横軸は全般照明による水平面照度、縦軸は重点照明の印象である。図７（ａ）に示すように、全般照明のみを制御する場合、全般照明の水平面照度をａからｂに下げると、重点照明の印象は、「弱い」から「強い」の方向（ｄからｃ）に上昇する。これに対して、図７（ｂ）に示すように、全般照明及び重点照明を制御する場合、全般照明の水平面照度をａからｂに下げるとともに重点照明の鉛直面照度をｅからｆに下げると、水平面照度がａの場合と同じ重点照明の印象が得られる。
【００１５】
従って、全般照明の制御に伴う省エネルギーに加えて、繁忙期に全般照明器具１２の出力の低下に併せて重点照明器具１１の出力も低下する制御により、さらに省エネルギー化を図ることができる。なお、閑散期点灯モードでは、全般照明が明るいので、店舗外の人を店舗内に引き付ける効果が高い。また、閑散期に商品搬入などの店舗内作業を行う場合にも、全般照明が明るいのは好都合である。
【００１６】
全般照明と重点照明の制御を図８を参照して詳述する。被験者９名の主観評価実験を行った。実験において、全般照明と重点照明の照度を様々な値に設定して、重点照明の印象、具体的には、重点照明による引き付け効果を評価した。図８に示す実験結果において、横軸は全般照明による水平面照度、縦軸は重点照明による引き付け効果を示す評価値（主観評価値）であり、パラメータは，重点照明による鉛直面照度である。重点照明による鉛直面照度設定値を一定にして水平面照度(対数目盛）を変化させると、水平面照度（横軸の値）が低いと、評価値（縦軸の値）は高く(目立つ）、水平面照度が高いと、評価値は低くなった(目立たない）。すなわち、評価値は右下がりの略直線となった。この直線は、重点照明による鉛直面照度のパラメータが変化しても、ほぼ同じ傾きであったので、次の評価式で表すことができた。
【００１７】
Ｚ＝−５．６９・ｌｏｇ（Ｅｈ）＋３．８７８・ｌｏｇ（Ｅｖ）＋７．６
【００１８】
ここで，Ｚは、重点照明による引き付け効果の評価値であり、例えば、評価値が４のとき、「どちらでもない」、評価値が５のとき、「やや目立つ」である。Ｅｈは、全般照明による水平面照度、Ｅｖは、重点照明による鉛直面照度である。
【００１９】
本発明の照明システム１０は、上記の評価式を用いて点灯制御を行う。点灯制御装置１４は、重点照明による購買客の引き付け効果の評価値をＺ、前記全般照明器具の出力をＥｈ、前記重点照明器具の出力をＥｖとしたとき、評価式Ｚ＝−５．６９・ｌｏｇ（Ｅｈ）＋３．８７８・ｌｏｇ（Ｅｖ）＋７．６によって評価値を算出し、算出した繁忙期点灯モードでの評価値が閑散期点灯モードでの評価値以上に維持されるように、全般照明器具１２及び重点照明器具１１を点灯制御する。
【００２０】
点灯制御についてさらに説明する。人数情報受信部１４６が人数計測部１３から受信した客数の多少に応じて、点灯モード選択部１４７が点灯モードを選択し、全般照明制御部１４２は、選択された点灯モードに応じた水平面照度に全般照明器具１２を点灯制御する。例えば、客数が非常に少ないとき、早朝深夜点灯モードが選択され、早朝深夜の最低限の水平面照度に点灯制御され、客数が多いとき、繁忙期モードが選択され、少し抑えた水平面照度に点灯制御され、それ以外のときは、閑散期モードが選択され、少し明るい目の水平面照度に点灯制御される。
【００２１】
次に、重点照明制御部１４３は、選択された点灯モードに応じて重点照明の照度を調光、あるいは点灯数の点滅の制御をする。これにより、重点照明による引き付け効果を下げることなく点灯制御して省エネルギー化ができる。
【００２２】
例えば、図８において、全般照明による水平面照度Ｅｈを７５０［ｌｘ］から５００［ｌｘ］に下げる点灯制御をすると、重点照明による鉛直面照度Ｅｖ＝４０００［ｌｘ］のときの引き付け効果は、Ｅｖ＝３０００［ｌｘ］の場合の引き付け効果に相当する。重点照明による鉛直面照度Ｅｖを４０００［ｌｘ］から３０００［ｌｘ］に下げると、重点照明による引き付け効果を下げることなく、およそ２５％の省エネルギーとなる。なお、重点照明による鉛直面照度を４０００［ｌｘ］のまま維持すれば、重点照明による引き付け効果は１ランク向上する。
【００２３】
このように購買客の引き付け効果を評価する評価式を用いて点灯制御をするので、全般照明器具１２の出力の低下に併せて重点照明器具１１の出力を低下しても重点照明器具１１による引き付け効果を下げることなく維持することができる。
【００２４】
重点照明の照度を調光するための重点照明器具１１の点灯制御について説明する。重点照明器具１１がハロゲンランプ１１２を用いたハロゲンスポットライト１１１の場合、連続調光は容易である。重点照明器具１１がコンパクト蛍光灯スポットライト１１６又はＨＩＤスポットライト１１７の場合、連続調光が困難な場合がある。コンパクト蛍光灯スポットライト１１６を用いる場合は、複数個の光源を照明器具に装備し、点灯する光源の個数を調整することで点灯制御ができる。ＨＩＤスポットライト１１７を用いる場合、点灯する照明器具を回路分けしておき、点灯する照明器具の個数を調整することで点灯制御ができる。この回路分けは、分電盤（図示せず）の中で行ってもよいし、無線又は有線で点灯・消灯信号を照明器具に送信して照明器具の側で点灯・消灯してもよい。例えば、図９において、ＨＩＤスポットライト１１７ａ及び１１７ｂが配線ダクト１１９に設けられており、ＨＩＤスポットライト１１７ａは常時点灯であるが、ＨＩＤスポットライト１１７ｂは、無線点滅装置１１８が無線で点灯制御装置１４から点灯・消灯信号を受信して点灯・消灯をする。このように構成することによって、照明システム１０は、運用段階において照射する場所が日常的に変化した場合にも柔軟な対応ができる。
【００２５】
なお、本発明は、上記各実施形態の構成に限られず、発明の要旨を変更しない範囲で種々の変形が可能である。例えば、本発明に用いる蛍光灯の調光をインバータで行ってもよい。
【図面の簡単な説明】
【００２６】
【図１】本発明の一実施形態に係る照明システムの構成図。
【図２】同照明システムにおけるハロゲンスポットライトの側面図。
【図３】（ａ）は同照明システムにおける蛍光灯照明器具の平面図、（ｂ）は同蛍光灯照明器具の断面図。
【図４】（ａ）は同照明システムにおけるダウンライトの平面図、（ｂ）は同ダウンライトの断面図。
【図５】店舗の客数の時間変動を説明する説明図。
【図６】（ａ）は従来の照明システムにおける時間帯ごとの全般照明の明るさの説明図、（ｂ）は本発明の照明システムにおける時間帯ごとの全般照明の明るさの説明図。
【図７】（ａ）は全般照明のみ制御する場合の重点照明の印象の説明図、（ｂ）は全般照明と重点照明を両方制御する場合の重点照明の印象の説明図。
【図８】重点照明による引き付け効果の主観評価実験結果の説明図。
【図９】本発明の照明システムにおけるＨＩＤスポットライトの概略構成図。
【符号の説明】
【００２７】
１０  照明システム
１１  重点照明器具
１２  全般照明器具
１３  人数計測部
１４  点灯制御装置
【図１】
2009187808.tif 000003
【図２】
2009187808.tif 000004
【図３】
2009187808.tif 000005
【図４】
2009187808.tif 000006
【図５】
2009187808.tif 000007
【図６】
2009187808.tif 000008
【図７】
2009187808.tif 000009
【図８】
2009187808.tif 000010
【図９】
2009187808.tif 000011